(57)【要約】      （修正有）【課題】長さ調整可能及び振動防止構造を兼ね備えた折畳み杖を提供する。【解決手段】折り畳み杖は、４つのロッド１１−１〜１１−４が弾性コード引き部品２０によって相互につながってなるロッドホルダー１０を備えてなり、上端のロッド１１は上部に取っ手部９０を有し、下端のロッドの底に地面接触部５０を有する。弾性定位置ピン１３は略円錐状定位置部分１３１を有する。弾性定位置ピンが突出して略円錐状定位置部分１３１が定位置孔に嵌合して位置が固定されて杖の長さが調整される構成である。弾性部品７２をロッド１１−３の収納スペース内に組み込んでいる構成の振動防止構造を備えている。【選択図】図１
0003149852.tif 000002
【実用新案登録請求の範囲】
【請求項１】
少なくとも二つのロッド（１１−１〜１１−４）が折り畳まれて相互につながっているロッドホルダー（１０）からなる折畳み杖において、
上端のロッド（１１−１）の上部に取っ手部（９０）を有し、
下端のロッド（１１−４）の底に地面接触部（５０）を有し、
前記取っ手部（９０）につながるロッド（１１−１）は、第一ロッド段（１１１）と第二ロッド段（１１２）よりなり、
前記第二ロッド段（１１２）の嵌込み側の周囲には、少なくとも一つのリング（１２）が装着してあり、
前記第一ロッド段（１１１）の嵌込み側の周りには、前記第二ロッド段（１１２）の対応する部位を囲んで保持する保持ヘッド（１１４）が設けてあり、
前記第二ロッド段（１１２）には、前記ロッド（１１−１）を引き止めるための弾性コード引き部品（２０）が備わっており、該弾性コード引き部品（２０）によって、第一ロッド段（１１１）と第二ロッド段（１１２）間は長さが調整されて、つながる構成であり、  
前記第二ロッド段（１１２）の嵌込み側には、ラジアル方向の外側が凸状である弾性定位置ピン（１３）が備わっており、前記第一ロッド段（１１１）の周壁には、それぞれ異なった高さに設けられた複数の丸い定位置孔（１４）が形成してあり、前記第二ロッド段（１１２）を前記第一ロッド段（１１１）に挿入するとき、前記弾性定位置ピン（１３）が突出して定位置孔（１４）に嵌合して位置が固定される構成であり、
前記弾性定位置ピン（１３）は、略円錐状定位置部分（１３１）を有し、該略円錐状定位置部分（１３１）は略円錐状であり外径が先端から基部に向かって次第に大きくなり、前記略円錐状定位置部分（１３１）の最大外径は、前記第一ロッド段１１１の定位置孔（１４）の孔径より大きく、前記略円錐状定位置部分（１３１）を前記第一ロッド段（１１１）の定位置孔（１４）に挿入して位置が固定される構成であり、
前記一つのロッド（１１−１、１１−３）は、所定の位置に収納スペース（６０）を有し、
前記収納スペース（６０）の内部に振動防止構造（７０、７０Ｂ）が備えてある、折畳み杖。
【請求項２】
前記二つのロッド（１１）の間のつなぎは、嵌め合せ式であり、
相互につながっているロッド（１１）の中には、一つのロッド（１１）のつなぎ側に柱部分（１６）があり、前記柱部分（１６）は他方のロッド（１１）の筒部（１１７）内に嵌められ、前記柱部分（１６）の根元部は階段部（１５）に形成してあり、前記階段部（１５）が他方のロッド（１１）の端面に突き当たるようになり、前記柱部分（１６）の周囲には、少なくとも一つのＯ型リング（１７）が設けてある、請求項１に記載の折畳み杖。
【請求項３】
前記第二ロッド段（１１２）の頂部には、弾性定位置ユニット（３０）が一体的に設けてあり、
前記弾性定位置ユニット（３０）は、少なくとも一つのノッチ（３１）及び少なくとも一つの嵌合片（３２）を有し、
前記嵌合片（３２）は前記第一ロッド段（１１１）に形成してある嵌込み部（１１６）に嵌められて、位置が固定される、請求項１に記載の折畳み杖。
【請求項４】
前記振動防止構造（７０）は、地面接触ロッド部（７１）と弾性部品（７２）を備え、
前記地面接触ロッド部（７１）は、貫通した中空孔（７１１）を有し、
前記弾性コード引き部品（２０）が前記中空孔（７１１）を通って、引けるようにつながっており、
前記中空孔（７１１）には内階段部縁部（７３）が形成してあり、
前記弾性コード引き部品（２０）は、所定の位置に突き止め突出部（７４）を有し、前記突き止め突出部（７４）が前記内階段部縁部（７３）に止められる構成であり、
前記地面接触ロッド部（７１）の片側には、細く軸径の異なった階段軸（７５）が存在し、
前記弾性部品（７２）は、前記ロッド（１１−３、１１−１）の収納スペース（６０）内に入っており、
前記地面接触ロッド部（７１）の階段軸（７５）の片側が、前記収納スペース（６０）内の弾性部品（７２）を押し付けている構成であり、
前記弾性コード引き部品（２０）の引っ張り、つなぎによって、前記ロッド（１１１）と該地面接触ロッド部（７１）との間に軸方向に動く関係が形成される、請求項１に記載の折畳み杖。
【請求項５】
前記振動防止構造（７０Ｂ）は、振動防止ロッド（７６）と、振動防止管（７７）と、弾性部品（７８）を有し、
前記振動防止ロッド（７６）は、片側に成形されたつなぎヘッド（７６１）と、中間軸部（７６２）と、芯軸部（７６３）とを有し、
前記中間軸部（７６２）は、前記つなぎヘッド（７６１）と前記芯軸部（７６３）との間に設けてあり、
前記芯軸部（７６３）の外部に伸びた側には、ボルト（７６４）を有し、
前記振動防止管（７７）は中空孔（７７１）を有し、
前記中空孔（７７１）の中央には止め肩縁（７７２）を有し、
前記振動防止ロッド（７６）の芯軸部（７６３）と中間軸部（７６２）は、前記振動防止管（７７）の中空孔（７７１）を貫通するように設けてあり、
ナット（８０）によって、前記ボルト（７６４）につながり、止め肩縁（７７２）の片側に止められており、
前記弾性部品（７８）は、可動的に前記芯軸部（７６３）の周囲に嵌合して前記振動防止管（７７）の中空孔（７７１）内に収まって、前記振動防止ロッド（７６）の中間軸部（７６２）と振動防止管（７７）の止め肩縁（７７２）の間に設けてある、請求項１に記載の折畳み杖。
【考案の詳細な説明】
【技術分野】
【０００１】
本考案は折畳み杖に係り、特に、長さ調整可能及び振動防止構造を兼ね備えた折畳み杖に関する。  
【背景技術】
【０００２】
杖は、主に歩行者の体を支え、体のバランスを取らせ、前へ進む力を提供するなどに用いられる補助道具であり、使用者のニーズに応ずるべく、折畳み可能や伸縮可能、そして使用時の振動を減少するための振動装置付きの杖がある。この種の杖は、折畳むことのよって保管や持ち歩くにも便利で、且つ、使用者のニーズに対応して、杖の長さも調整できるものである。
【０００３】
従来の杖において、第二ロッド段には定位置ピンがあり、この定位置ピンは、丸い柱状で、平らで直線状の定位置部分を有し、第一ロッド段には、高さの異なった定位置孔がある。杖の伸縮や定位置の調整は、第二ロッド段を第一ロッド段の貫通孔に挿入し、定位置ピンを突出させることによって位置が固定され、長さの調整、伸縮が実現される。
【考案の概要】
【考案が解決しようとする課題】
【０００４】
従来の杖構造では、実際に使用した経験から、次のような問題点があることが分かった。
【０００５】
１．定位置ピンは丸い柱状で、位置を固定するための突出した定位置部分は平らで直線状となるため、外径の固定が不便である。そして、このような構造が第一ロッド段の定位置孔に挿入されたとき、前記定位置孔との間に隙間が出て、揺れ（がたつき）などが起こり、動きが不安定し、使用の時、音が発生したりして品質が良くない。また、前記第一ロッド段と該第二ロッド段が密接につながらず、安定性が良くない。  
２．従来の杖にある振動防止構造は、構造が悪くて、部品間の安定性も悪くて、故障が起こりやすく、振動することを防止する効果が十分でない。
【０００６】
それゆえ、従来の折畳み杖が有する問題点を改善して、より理想的で、実用性のあるオリジナルな構造を開発するのが、使用者の望むことで、関連業者が努力し、開発、突破するべき目標や方向でもある。
【０００７】
それを鑑みて、本考案者は関連製品の製造、開発及びその設計に携わる長年の経験を持っており、上述の目標について詳しく設計、慎重に評価したうえ、実用性のある本考案を完成した。
本考案は、前記課題を解決した、長さ調整可能及び振動防止構造を兼ね備えた折畳み杖を提供することを目的とする。
【課題を解決するための手段】
【０００８】
本考案の折畳み杖は、少なくとも二つのロッド（１１−１〜１１−４）が折り畳まれて相互につながっているロッドホルダー（１０）からなる折畳み杖において、
上端のロッド（１１−１）の上部に取っ手部（９０）を有し、
下端のロッド（１１−４）の底に地面接触部（５０）を有し、
前記取っ手部（９０）につながるロッド（１１−１）は、第一ロッド段（１１１）と第二ロッド段（１１２）よりなり、
前記第二ロッド段（１１２）の嵌込み側の周囲には、少なくとも一つのリング（１２）が装着してあり、
前記第一ロッド段（１１１）の嵌込み側の周りには、前記第二ロッド段（１１２）の対応する部位を囲んで保持する保持ヘッド（１１４）が設けてあり、
前記第二ロッド段（１１２）には、前記ロッド（１１−１）を引き止めるための弾性コード引き部品（２０）が備わっており、該弾性コード引き部品（２０）によって、第一ロッド段（１１１）と第二ロッド段（１１２）間は長さが調整されて、つながる構成であり、  
前記第二ロッド段（１１２）の嵌込み側には、ラジアル方向の外側が凸状である弾性定位置ピン（１３）が備わっており、前記第一ロッド段（１１１）の周壁には、それぞれ異なった高さに設けられた複数の丸い定位置孔（１４）が形成してあり、前記第二ロッド段（１１２）を前記第一ロッド段（１１１）に挿入するとき、前記弾性定位置ピン（１３）が突出して定位置孔（１４）に嵌合して位置が固定される構成であり、
前記弾性定位置ピン（１３）は、略円錐状定位置部分（１３１）を有し、該略円錐状定位置部分（１３１）は略円錐状であり外径が先端から基部に向かって次第に大きくなり、前記略円錐状定位置部分（１３１）の最大外径は、前記第一ロッド段１１１の定位置孔（１４）の孔径より大きく、前記略円錐状定位置部分（１３１）を前記第一ロッド段（１１１）の定位置孔（１４）に挿入して位置が固定される構成であり、
前記一つのロッド（１１）は、所定の位置に収納スペース（６０）を有し、
前記収納スペース（６０）の内部に振動防止構造（７０、７０Ｂ）が備えてある構成である。
【考案の効果】
【０００９】
本考案になる折畳み杖は、弾性定位置ピン（１３）は、外径が先端から基部に向かって次第に大きくなって、最大外径が定位置孔（１４）の孔径より大きい、る略円錐状定位置部分（１３１）を有する形状であるので、弾性定位置ピン（１３）の定位置孔（１４）への挿入が円滑であり、且つ、挿入された状態で遊びがなく、がたつきのない状態に出来る。
【図面の簡単な説明】
【００１０】
【図１】本考案の実施例１になる折畳み杖の折り畳んだ状態を示す斜視図である。
【図２】図１の折畳み杖の長さ調整構造を示す図である。
【図３】図２中、弾性定位置ピンが定位置孔に嵌合している部分を拡大して示す図である。
【図４】ロッドのつないだ部分を示す断面図である。
【図５】取っ手部側のロッドの別の例の断面図である。
【図６】図５中の弾性定位置ユニットの斜視図である。
【図７】振動防止構造を分解して示す断面図である。
【図８】振動防止構造の断面図である。
【図９】別の例の振動防止構造の断面図である。
【図１０】図９の振動防止構造を分解して示す図である。
【図１１】図９の振動防止構造が地面接触部側のロッドに組み込んである構造を示す断面図である。
【図１２】図９の振動防止構造が取っ手部分側のロッドに組み込んである構造を示す断面図である。
【考案を実施するための形態】
【００１１】
以下、本考案の実施の形態について説明する。
図１〜図６は、本考案の長さ調整可能及び振動防止構造を兼ね備えた折畳み杖の好適な実施例を示しているが、これらの実施例は説明のみに用いられるもので、本考案の折畳み杖はそれらの構造に制限されない。
【実施例１】
【００１２】
図１は本考案の実施例１になる折畳み杖Ａが折り畳まれた状態を示す。
【００１３】
折畳み杖Ａは、４つのロッド１１−１〜１１−４が相互につながっているロッドホルダー１０を有する。特定のロッドを指し示さない場合には、符号１１を使用する。
【００１４】
折畳み杖Ａの上部には取っ手部９０が備わっている。
図２に示すように、上部に取っ手部９０を有するロッド１１−１は、第一ロッド段１１１と第二ロッド段１１２に分かれている。
【００１５】
第二ロッド段１１２の内部には、ロッド１１−１を引き止めるための弾性コード引き部品２０が備わっており、それによって、第一ロッド段１１１と第二ロッド段１１２の間は長さが調整されてつながるようになっている。  
第二ロッド段１１２の嵌込み側には、ラジアル方向の外側が凸状となる弾性定位置ピン１３が設けてある。
【００１６】
第一ロッド段１１１の周壁には、それぞれ異なった高さに複数の定位置孔１４が形成してある。第二ロッド段１１２を第一ロッド段１１１内に挿入したとき、弾性定位置ピン１３が突出して所定の定位置孔１４に嵌合して、第二ロッド段１１２の第一ロッド段１１１に対する位置が固定される。
【００１７】
弾性定位置ピン１３は、略円錐状定位置部分１３１を有する。図３に示すように、略円錐状定位置部分１３１の外径は先端から基部側へ偏倚するにつれて次第に大きくなって、略円錐状定位置部分１３１の最大外径は、第一ロッド段１１１の定位置孔１４の孔径より大きい。略円錐状定位置部分１３１が第一ロッド段１１１の定位置孔１４に挿入されて、第二ロッド段１１２の第一ロッド段１１１に対する位置が固定される。
【００１８】
図７に示すように、一つのロッド１１−３の所定の位置には収納スペース６０が形成してある。収納スペース６０の内部には、図８に示すように振動防止構造７０が設けてある。
【００１９】
図１に示すように、ロッド１１−４の底には地面接触部５０が備わっている。
【００２０】
図２に示すように、折畳み杖Ａのロッド１１間のつなぎは、嵌め合せ式である。即ち、個々のロッド１１−１〜１１−４は、つなぎ側に柱部分１６を有し、反対側の端に筒部１１７を有する。一つのロッド１１の柱部分１６が別のロッド１１の筒部１１７内に嵌めてある。柱部分１６の根元部には階段部１５が形成してある。階段部１５は他方のロッド１１の端面に突き当たっている。柱部分１６の周囲には、少なくとも一つのＯ型リング１７が装着してある。
上記の構成が優れたつなぎ構造を構成する。即ち、図２及び図４に示すように、二つのロッド１１間のつなぎが安定し、揺れにくく、柱部分１６を筒部１１７につないだ箇所の接触が良くて、Ｏ型リング１７によって柱部分１６と筒部１１７の内壁とのつなぎが密接に行われ、安定性も向上する。
【００２１】
図２に示すように、取っ手部９０側のロッド１１−１は、第二ロッド段１１２の嵌め込み側の上端の近くの外周にはリング１２が装着してある。ロッド１１−１の第一ロッド段１１１の嵌込み側の外周には、筒状の保持ヘッド１１４が嵌合して固定してある。保持ヘッド１１４はゴムや弾性材製であり、第二ロッド段１１２のうち第一ロッド段１１１から突き出ている箇所の全周囲を囲んで押えて保持する。
第二ロッド段１１２が第一ロッド段１１１に嵌められた状態で、第１には、リング１２が第一ロッド段１１１の内壁１１５に密接し、第一ロッド段１１１と第二ロッド段１１２との間が密接に嵌め合わせるようになっており、第２には、保持ヘッド１１４が第二ロッド段１１２のうち第一ロッド段１１１から突き出ている箇所を囲んで保持し、第一ロッド段１１１と第二ロッド段１１２とつなぎは揺れにくくしっかりと強化されている。
【００２２】
図５は取っ手部側のロッドの別の例を示す。
図５に示すように、第二ロッド段１１２の頂上部には、弾性定位置ユニット３０が一体的に設けてある。弾性定位置ユニット３０によって、第二ロッド段１１２は第一ロッド段１１１とのつなぎが安定し、容易に緩まず、安定性が増加する。弾性定位置ユニット３０は、図６に示すように、４つのノッチ３１及び４つの嵌合片３２を有する。嵌合片３２は第一ロッド段１１１に形成してある嵌込み部１１６に嵌めてあり、位置が固定されている。弾性定位置ユニット３０は、プラスチック又はゴム材である。
【００２３】
図７及び図８は振動防止構造７０を示す。
図７及び図８に示すように、振動防止構造７０は、地面に接触する地面接触ロッド部７１と、弾性部品としての圧縮コイルばね７２とを有する。地面接触ロッド部７１には軸方向に貫通した貫通孔７１１が形成してある。弾性コード引き部品２０は、貫通孔７１１を通って、引けるようにつながっている。貫通孔７１１の内部には内階段部縁部７３が形成してある。弾性コード引き部品２０は所定の位置に突き止め突出部７４を有し、この突き止め突出部７４が内階段部縁部７３に係止されている。
地面接触ロッド部７１は、その片側に、細くて軸径が異なった階段軸７５を有する。ロッド１１−３の一端側には、圧縮コイルばね７２のための収納スペース６０が形成してある。圧縮コイルばね７２がロッド１１の収納スペース６０の内部に納まっている状態で、地面接触ロッド部７１の階段軸７５が収納スペース６０に丁度に嵌合してあり、階段軸７５の端面が収納スペース６０内の圧縮コイルばね７２を押し付けている。圧縮された圧縮コイルばね７２のばね力によって、弾性コード引き部品２０に引っ張り力が作用している。ロッド１１１と地面接触ロッド部７１との間は、軸方向に動きうる関係にある。
【００２４】
図３に示すように、弾性定位置ピン１３の略円錐状定位置部分１３１は、丸い略円錐状である。第一ロッド段１１１の定位置孔１４は丸い孔である。
【００２５】
次に、上記の構造、組合せ設計による本考案の折畳み杖Ａの実施の時の作動状況について説明する。
【００２６】
図１に示すように、折畳み杖Ａは４段のロッド１１−１〜１１−４のつなぎからなる。弾性コード引き部品２０が全部のロッド１１の内部を通っており、隣り合う二つのロッド１１の間は弾性コード引き部品２０の引っ張りによってつながっており、つながれて使用状態となり、折畳まれて保管されるようになる。
【００２７】
使用の際には、弾性コード引き部品２０を引っ張りつつ４つのロッド１１−１〜１１−４を順次にまっすぐにつなげ、杖の形を作り、使用しないとき、弾性コード引き部品２０の弾力によって、ロッド１１−１〜１１−４をそれぞれ引き、嵌合を開放して、半分に折畳むことができる。
【００２８】
ロッド１１−３の所定の位置の収納スペース６０内に存在する振動防止構造７０は、地面接触ロッド部７１内に中空孔７１１があり、弾性コード引き部品２０の貫通、つなぎによって、地面接触ロッド部７１の片側に形成された階段軸７５は、ロッド１１の収納スペース６０内に丁度に嵌合して設けられ、収納スペース６０内の圧縮コイルばね７２を押し付ける。これによって、折畳み杖Ａの組合せが完了する。  
図２に示すように、第二ロッド段１１２の嵌込み側には、ラジアル方向外側に凸の弾性定位置ピン１３が設けてあり、第一ロッド段１１１の周壁には高さが異なった位置に定位置孔１４が形成してある。この構成によって、第二ロッド段１１２を第一ロッド段１１１に挿入すると、弾性定位置ピン１３が突出して目的とする定位置孔１４に嵌合する。このことによって、第二ロッド段１１２の第一ロッド段１１１に対する位置が固定され、杖の長さの調整、伸縮が実現される。即ち、第二ロッド段１１２の第一ロッド段１１１に嵌められた長さによって、杖の長さが調整される。
【００２９】
図３及び図４に示すように、第二ロッド段１１２の弾性定位置ピン１３には略円錐状定位置部分１３１があり、この略円錐状定位置部分１３１を第一ロッド段１１１上の定位置孔１４に挿入することによって、位置が固定されるようになる。また、第二ロッド段１１２の嵌込み側にはＯ型リング１７があり、このＯ型リング１７が第一ロッド段１１１に嵌められたとき、第一ロッド段１１１と第二ロッド段１１２との間が密接に嵌め合わされ、また、図２に示すように第一ロッド段１１１の嵌込み側の外周には保持ヘッド１１４があり、それによって、第二ロッド段１１２に対応する部位の外周が固定される。
【００３０】
図９は別の実施例になる振動防止装置７０Ｂを示す断面図である。図１０はこの振動防止装置７０Ｂを分解して示す図である。
【００３１】
図９及び図１０に示すように、振動防止装置７０Ｂは、振動防止ロッド７６と、振動防止管７７と、弾性部品としての圧縮コイルばね７８を有する。振動防止ロッド７６は、片側に成形されたつなぎヘッド７６１と、中間軸部７６２と、芯軸部７６３からなる。中間軸部７６２は、つなぎヘッド７６１と芯軸部７６３との間に設けてある。芯軸部７６３より先端に伸びた部分に、ボルト部７６４を有する。振動防止管７７は、中空孔７７１を有する。振動防止管７７は、中空孔７７１の中央に止め肩縁７７２を、中空孔７７１を貫通するように設けてある。振動防止ロッド７６は、芯軸部７６３の周囲に圧縮コイルばね７８を装着した状態で、振動防止管７７に嵌合され、止め肩縁７７２を貫通したボルト部７６４にナット８０を螺合されて固定されている。中間軸部７６２が中空孔７７１に軸方向に移動可能に嵌合しており、圧縮コイルばね７８は止め肩縁７７２と中間軸部７６２の段との間に挟まれて中空孔７７１内に納まっている。
【００３２】
図１１に示すように、芯軸７６３と中間軸部７６２とつなぎヘッド７６１とは軸線が共通した同軸一体の加工構造であり、それによって加工が簡単に行われ、加工精度も高い。
振動防止管７７のナット８０側の片側は、プラスチックプラグ４０で覆われている。
【００３３】
図１１に示すように、振動防止構造７０Ｂはロッド１１の収納スペース６０内に嵌められており、弾性コード引き部品２０がプラスチックプラグ４０を通っており、突き止め突出部７４片側が突き止め突出部７４に設けられて、位置が固定、限定される
図１２は振動防止構造７０Ｂが取っ手部９０側のロッド１１−１に取り付けてある実施例を示す。
【００３４】
収納スペース６０は取っ手部９０側のロッド１１−１の所定の位置に設けてある。振動防止装置７０Ｂは向きを変えて、ロッド１１−１の第二ロッド段１１２に設けてあり、且つ、ロッド１１−１の第一ロッド段１１１の中に嵌めてある。保持ヘッド１１４よって第二ロッド段１１２が保持されている。
【００３５】
次に、上記実施例の折畳み杖の効果について説明する。
【００３６】
上記実施例の折畳み杖は以下に挙げる効果を有する。
【００３７】
１．第二ロッド段の弾性定位置ピンに略円錐状定位置部分があり、それによって、第一ロッド段の定位置孔に挿入され、位置が固定されるようになり、またＯ型リング、保持ヘッドと振動防止構造を組み合わせたオリジナルな設計により、略円錐状定位置部分の外周は隙間がなく、しっかりと定位置孔に嵌め込まれ、二つのロッド段は緩みなく、安定につなぎ、支持力がよく、簡単な構造をなし、そして、使用の時に音が発生せず、品質が高く、それに、階段部式つなぎ構造による弾性コード引き部品の引っ張り、つなぎによって、折畳んで保管や持ち歩くのに便利、取り外しも簡単、素早く行われるという実用性、進歩性がある。  
２．振動防止管がロッドに形成してある収納スペース内に設けられ、また、圧縮コイルばねの弾力のあるつなぎによって、振動防止ロッドと振動防止管との間で振動防止効果を発揮する。よって、折畳み杖は振動防止効果を持ち、簡単に使え、使い心地のよさが向上する。また、振動防止構造は二種類あり、適用範囲が広くなり、適用性もよい。
【００３８】
上述の実施例は本考案を具体的に説明したものであり、文中では特定の専門用語を用いて説明しているが、本考案の範囲を限定するものではなく、この技術分野を熟知した人は本考案の精神及び原則を逸脱しない限り、本考案に変更または改良を加えることができる。しかし、それらの変更または改良は全て実用新案登録請求の範囲の範疇に含まれるものである。
【符号の説明】
【００３９】
Ａ  折畳み杖
１０  ロッドホルダー  
１１−１〜１１−４  ロッド
１１１  第一ロッド段
１１２  第二ロッド段
１１４  保持ヘッド
１１５  内壁
１１６  嵌込み部
１１７  筒部
１２  リング
１３  弾性定位置ピン
１３１  略円錐状定位置部分
１４  定位置孔
１５  階段部
１６  柱部分
１７  Ｏ型リング
２０  弾性コード引き部品
３０  弾性定位置ユニット
３１  ノッチ
３２  嵌合片
４０  プラスチックプラグ
５０  地面接触部
６０  収納スペース
７０、７０Ｂ  振動防止構造
７１  地面接触ロッド部
７１１  中空孔
７２  圧縮コイルばね
７３  内階段部縁部  
７４    突き止め突出部
７５  階段軸
７６  振動防止ロッド
７６１  つなぎヘッド
７６２  中間軸部
７６３  芯軸部
７６４  ボルト
７７  振動防止管
７７１  中空孔
７７２  止め肩縁
７８  弾性部品
８０  ナット
９０  取っ手部
【図１】
0003149852.tif 000003
【図２】
0003149852.tif 000004
【図３】
0003149852.tif 000005
【図４】
0003149852.tif 000006
【図５】
0003149852.tif 000007
【図６】
0003149852.tif 000008
【図７】
0003149852.tif 000009
【図８】
0003149852.tif 000010
【図９】
0003149852.tif 000011
【図１０】
0003149852.tif 000012
【図１１】
0003149852.tif 000013
【図１２】
0003149852.tif 000014